(57)【要約】      （修正有）【課題】ポリマー性粘度指数向上剤を含まず、高いＶＩを有し、最高温度において有効な潤滑剤として作用するのに十分な粘性を維持し、さらに、低温度でポンプ輸送するのに十分な流動性を維持する組成物の提供。【解決手段】（ｉ）フィッシャー・トロプシュ由来基油および（ｉｉ）総濃度が最大で２重量％の潤滑剤用添加剤を含み、少なくとも１４０の粘度指数および最大で１００ｍｍ２／秒の４０℃における動粘度を有しており、ポリマー性粘度指数向上剤を本質的に含まない潤滑組成物。潤滑組成物は、向上した極圧およびせん断安定特性を示す。【選択図】なし【特許請求の範囲】
【請求項１】
（ｉ）フィッシャー・トロプシュ由来基油および（ｉｉ）総濃度が最大で２重量％の潤滑剤用添加剤を含み、少なくとも１４０の粘度指数および最大で１００ｍｍ２／秒の４０℃における動粘度を有しており、ならびにポリマー性粘度指数向上剤を本質的に含まない潤滑組成物。
【請求項２】
潤滑剤用添加剤が、最大で１重量％の総濃度において存在する、請求項１に記載の潤滑組成物。
【請求項３】
潤滑剤用添加剤が、最大で０．７５重量％の総濃度において存在する、請求項１または２に記載の潤滑組成物。
【請求項４】
潤滑組成物がポリマー性粘度指数向上剤を含まない、請求項１から３までのいずれかに記載の潤滑組成物。
【請求項５】
フィッシャー・トロプシュ由来基油が、４ｍｍ２／秒から２０ｍｍ２／秒までの範囲内の１００℃における動粘度を有する、請求項１から４までのいずれかに記載の潤滑組成物。
【請求項６】
フィッシャー・トロプシュ由来基油が、４ｍｍ２／秒から１０ｍｍ２／秒までの範囲内の１００℃における動粘度を有する、請求項１から５までのいずれかに記載の潤滑組成物。
【請求項７】
潤滑剤用添加剤が、耐摩耗添加剤、抗酸化剤、腐食防止剤、消泡剤、抗乳化剤、流動点降下剤およびこれらの混合物から選択される、請求項１から６までのいずれかに記載の潤滑組成物。
【請求項８】
請求項１から１０までのいずれかに記載の潤滑組成物を含む、作動液。
【請求項９】
（ｉ）フィッシャー・トロプシュ由来基油および（ｉｉ）総濃度が最大で２重量％の潤滑剤用添加剤を含み、少なくとも１４０の粘度指数および最大で１００ｍｍ２／秒の４０℃における動粘度を有しており、ならびにポリマー性粘度指数向上剤を本質的に含まない潤滑組成物の耐摩耗特性を向上させるための、フィッシャー・トロプシュ由来基油の使用。
【請求項１０】
（ｉ）フィッシャー・トロプシュ由来基油および（ｉｉ）総濃度が最大で２重量％の潤滑剤用添加剤を含み、少なくとも１４０の粘度指数および最大で１００ｍｍ２／秒の４０℃における動粘度を有しており、ならびにポリマー性粘度指数向上剤を本質的に含まない潤滑組成物のせん断安定性を向上させるための、フィッシャー・トロプシュ由来基油の使用。
【発明の詳細な説明】
【技術分野】
【０００１】
本発明は、潤滑組成物および潤滑組成物を含む作動液に関する。
【背景技術】
【０００２】
潤滑油組成物は、例えば製造、建設および輸送において作動液として広範に使用されている。
【０００３】
高い粘度指数（ＶＩ）が、外部温度にさらされるまたは温度変化に特に鋭敏な移動型または据置型機器専用の作動油には必要とされる。高いＶＩを有する油は、温度に伴う粘度変動がより小さい。すなわち、高いＶＩを有する油は、最高温度において有効な潤滑剤として作用するのに十分な粘性を維持しており、低温度でポンプ輸送するのに十分な流動性を維持している。
【０００４】
「マルチグレード」な作動液、すなわち比較的高い粘度指数（ＶＩ）（例えば＞１４０）を有し、動作温度が大幅に変動し得る機器内において使用可能な作動液を処方するとき、処方者は、基油およびＶＩ向上剤の種類ならびに量を適切に選択することにより、所望のＶＩを得ることができる。
【０００５】
ＡＰＩ  グループ  Ｉ鉱物油は一般に９０−１００の粘度指数を有する。他の種類の基油、例えばポリα−オレフィン（ＰＡＯ）およびエステルはそれぞれ、約１３５のＶＩおよび約１６０のＶＩを有し得る。
【０００６】
「ＶＩ向上剤」、「ＶＩ調整剤」または「増粘剤」は従来、所期の組成物のＶＩを増大するのに使用されてきた。粘度指数向上剤の例には、非分散型粘度指数向上剤として、ポリメタクリレートおよびエチレン／プロピレンコポリマーやスチレン／ジエンコポリマーなどのオレフィンコポリマーなど、ならびにこれらと窒素含有モノマーを共重合することによって得られるものなどの分散型粘度指数向上剤が挙げられる。ＶＩ調整剤の増粘力またはＶＩ付加力は通常、これの分子量に伴って増大する。しかし、ＶＩ向上剤の分子量が増大するに伴い、せん断安定性は減少する。「せん断安定性」とは、大分子（通常はポリマー）が、油圧系の周囲を通過するときに使用中に分解する傾向である。
【発明の概要】
【発明が解決しようとする課題】
【０００７】
したがって、処方者は、所望の目標を満たす組成物を処方するため、基油（または基油混合物）、増粘力およびせん断安定性を慎重に選択する必要がある。
【０００８】
せん断安定性が向上した、高粘度指数の潤滑組成物を処方することは望ましい。
【０００９】
粘度向上剤を必要としない、高粘度指数の潤滑組成物を処方することは望ましい。
【００１０】
極圧および耐摩耗特性が向上した潤滑組成物を処方することは、さらに望ましい。
【課題を解決するための手段】
【００１１】
驚くべきことに、これらおよび他の有益性が、フィッシャー・トロプシュ由来基油を含む潤滑組成物の使用によって実現できることが今や見出された。
【００１２】
（発明の要旨）
本発明によれば、（ｉ）フィッシャー・トロプシュ由来基油および（ｉｉ）総濃度が最大で２重量％の潤滑剤用添加剤を含み、少なくとも１４０の粘度指数および最大で１００ｍｍ２／秒の４０℃における動粘度を有し、ポリマー性粘度指数向上剤を本質的に含まない潤滑組成物が提供される。
【００１３】
驚くべきことに、本発明の組成物は、ポリマー性粘度向上剤を必要とせずに高い粘度指数を有することが見出された。驚くべきことに、本発明の組成物は、向上したせん断安定性および極圧特性を有することも見出された。
【００１４】
本発明の別の態様によれば、（ｉ）フィッシャー・トロプシュ由来基油および（ｉｉ）総濃度が最大で２重量％の潤滑剤用添加剤を含み、少なくとも１４０の粘度指数および最大で１００ｍｍ２／秒の４０℃における動粘度を有し、ポリマー性粘度指数向上剤を本質的に含まない潤滑組成物の耐摩耗特性を向上させるための、フィッシャー・トロプシュ由来基油の使用が提供される。
【００１５】
本発明のさらに別の態様によれば、（ｉ）フィッシャー・トロプシュ由来基油および（ｉｉ）総濃度が最大で２重量％の潤滑剤用添加剤を含み、少なくとも１４０の粘度指数および最大で１００ｍｍ２／秒の４０℃における動粘度を有し、ポリマー性粘度指数向上剤を本質的に含まない潤滑組成物のせん断安定性を向上させるための、フィッシャー・トロプシュ由来基油の使用が提供される。
【発明を実施するための形態】
【００１６】
（発明の詳細な記述）
本発明の潤滑組成物は、少なくとも１４０の（ＡＳＴＭ  Ｄ２２８０による）粘度指数を有する。一実施形態において、潤滑組成物は少なくとも１６０の粘度指数を有する。別の実施形態において、潤滑組成物は少なくとも１８０の粘度指数を有する。
【００１７】
本発明の潤滑組成物は、最大で１００ｍｍ２／秒の４０℃における（ＡＳＴＭ  Ｄ４４５による）動粘度を有する。本発明の一実施形態において、潤滑組成物は、３２ｍｍ２／秒の４０℃における動粘度（すなわちＩＳＯ３２）を有する。本発明の別の実施形態において、潤滑組成物は、４６ｍｍ２／秒の４０℃における動粘度（すなわちＩＳＯ４６）を有する。本発明の別の実施形態において、潤滑組成物は、６８ｍｍ２／秒の４０℃における動粘度（すなわちＩＳＯ６８）を有する。本発明のさらに別の実施形態において、本発明の潤滑組成物は、１００ｍｍ２／秒の４０℃における動粘度（すなわちＩＳＯ１００）を有する。
【００１８】
本発明の潤滑組成物は、フィッシャー・トロプシュ由来基油を含む。フィッシャー・トロプシュ由来基油は、潤滑組成物の好ましくは８０重量％から９９．５重量％までの範囲内の濃度において存在し、より好ましくは９０重量％から９９．５重量％までの範囲内の濃度において存在し、さらにより好ましくは９８重量％から９９．５重量％までの範囲内の濃度において存在する。
【００１９】
フィッシャー・トロプシュ由来基油は、当分野において既知である。「フィッシャー・トロプシュ由来」という用語は、基油が、フィッシャー・トロプシュ法の合成生成物であるまたはこの合成生成物に由来することを意味する。フィッシャー・トロプシュ由来基油は、ＧＴＬ（ガス液化）基油とも称することができる。潤滑組成物内で基油として好都合に使用できる適切なフィッシャー・トロプシュ由来基油は例えば、ＥＰ０７７６９５９、ＥＰ０６６８３４２、ＷＯ９７／２１７８８、ＷＯ００／１５７３６、ＷＯ００／１４１８８、ＷＯ００／１４１８７、ＷＯ００／１４１８３、ＷＯ００／１４１７９、ＷＯ００／０８１１５、ＷＯ９９／４１３３２、ＥＰ１０２９０２９、ＷＯ０１／１８１５６およびＷＯ０１／５７１６６において開示されているものである。
【００２０】
本明細書において用いるためのフィッシャー・トロプシュ由来基油は、１００℃における（ＡＳＴＭ  Ｄ４４５による）動粘度が、好ましくは４ｍｍ２／秒から２０ｍｍ２／秒までの範囲内であり、より好ましくは４ｍｍ２／秒から１０ｍｍ２／秒までの範囲内である。２種以上のフィッシャー・トロプシュ由来基油の混合物も、本明細書において用いることができる。
【００２１】
本発明の一実施形態において、本明細書において用いられるフィッシャー・トロプシュ由来基油は、４から６ｍｍ２／秒までの範囲の１００℃における動粘度を有する。
【００２２】
本発明の別の実施形態において、本明細書において用いるためのフィッシャー・トロプシュ由来基油は、７から９ｍｍ２／秒までの範囲の１００℃における動粘度を有する。
【００２３】
本発明の好ましい実施形態において、フィッシャー・トロプシュ由来基油は、一方が４から６ｍｍ２／秒までの範囲の１００℃における動粘度を有し、他方が７から９ｍｍ２／秒までの範囲の１００℃における動粘度を有する２種のフィッシャー・トロプシュ由来基油の混合物である。
【００２４】
本発明の潤滑組成物は、高い濃度のポリマー性粘度向上剤を必要とせず、ポリマー性粘度向上剤を本質的に含まない。ポリマー性粘度指数向上剤の例には、非分散型粘度指数向上剤として、ポリメタクリレートおよびエチレン／プロピレンコポリマーやスチレン／ジエンコポリマーなどのオレフィンコポリマーなど、ならびにこれらと窒素含有モノマーを共重合することによって得られるものなど、分散型粘度指数向上剤が挙げられる。本明細書において使用される「ポリマー性粘度向上剤を本質的に含まない」という用語は、乾燥ポリマー粘度向上剤の濃度が、好ましくは潤滑組成物の０．１重量％未満であることを意味する。特に好ましい実施形態において、本発明の潤滑組成物はポリマー性粘度向上剤を含まない、すなわち本潤滑組成物は、ポリマー性粘度向上剤を０重量％含む。
【００２５】
本発明の潤滑組成物は、フィッシャー・トロプシュ由来基油に加えて、１種または複数種のさらなる基油を含有することもできる。１種または複数種のさらなる基油は、フィッシャー・トロプシュ由来基油および潤滑剤用添加剤に合わせると、粘度指数が少なくとも１４０である潤滑組成物を実現するグループ  Ｉ−Ｖ基油から選択することができる。
【００２６】
本発明における「グループ  Ｉ−Ｖ」基油は、アメリカ石油協会（ＡＰＩ）カテゴリーＩ−Ｖの定義に従った潤滑油基油を意味する。このようなＡＰＩカテゴリーは、ＡＰＩ  Ｐｕｂｌｉｃａｔｉｏｎ１５０９（第１５版、Ａｐｐｅｎｄｉｘ  Ｅ、２００２年４月）において定義されている。
【００２７】
フィッシャー・トロプシュ由来基油以外で本明細書において用いることができる適切な基油の例は、重質ＰＡＯ類（例えばＰＡＯ８以上）などのグループ  ＩＶ基油およびＳｈｅｌｌ社から商標「ＸＨＶＩ」で市販されている基油などのグループ  ＩＩＩ異性化ワックスを含む。
【００２８】
本明細書における特に好ましい実施形態において、潤滑組成物は、フィッシャー・トロプシュ由来基油以外のさらなる基油を含まない。
【００２９】
本発明の潤滑油組成物は、耐摩耗添加剤、抗酸化剤、腐食防止剤、消泡剤、抗乳化剤、流動点降下剤およびこれらの混合物など、１種または複数種の添加剤をさらに含む。潤滑組成物内に存在する前述の添加剤の量は、使用されている具体的な化合物に依存する。上述および他の添加剤は当分野において周知なので、これらの全詳細は本明細書において記載されていない。加えられる添加剤の総量は潤滑組成物に基づき、最大で２ｗｔ％であり、好ましくは最大で１ｗｔ％であり、より好ましくは最大で０．７５ｗｔ％である。潤滑組成物内に存在する添加剤の総量は潤滑組成物の重量に対し、好ましくは少なくとも０．５ｗｔ％であり、より好ましくは少なくとも０．６ｗｔ％である。
【００３０】
耐摩耗添加剤の例は、亜鉛系耐摩耗添加剤、無亜鉛耐摩耗添加剤または無灰耐摩耗添加剤である。
【００３１】
腐食防止剤の例は、Ｎ−アルキルサルコシン酸、フェノキシ酢酸アルキレート、イミダゾリン、ＥＰ  ０  ８０１  １１６において開示されているリン酸エステルのアルカリ土類金属塩およびアルケニルコハク酸エステル系腐食防止剤である。
【００３２】
抗酸化剤の例は、アミン系抗酸化剤、硫黄系抗酸化剤、フェノール系抗酸化剤およびリン系抗酸化剤である。これらの抗酸化剤は、個別に使用することもできる、または複数を組み合わせて使用することができる。
【００３３】
発泡防止剤の例は、ジメチルポリシロキサン、ジエチルシリケートおよびフッ化シリコーンなどの有機シリケートならびにポリアルキルアクリレートなどの非シリコーン発泡防止剤である。
【００３４】
抗乳化剤の例は、ポリオキシエチレンアルキルエーテル、ポリオキシエチレンアルキルフェニルエーテルおよびポリオキシエチレンアルキルナフチルエーテルなど、ポリアルキレングリコール系非イオン性界面活性剤である。
【００３５】
流動点降下剤の例は、ポリメタクリレート系ポリマーである。
【００３６】
本発明による潤滑油組成物は、１種以上の基油および１種以上の潤滑剤用添加剤を一緒に混合することによって好都合に調製できる。
【００３７】
潤滑組成物は、作動液組成物を処方するのに特に有用である。したがって、本発明によれば、本明細書に記載された潤滑組成物を含む作動液組成物が提供される。
【００３８】
本発明は、潤滑組成物の極圧特性を向上するためのフィッシャー・トロプシュ由来基油の使用にも関する。
【００３９】
本発明は、潤滑組成物のせん断安定特性を向上するためのフィッシャー・トロプシュ由来基油の使用にさらに関する。
【００４０】
本発明は、本発明の範囲のいかなる限定も意図しない下記実施例を参照しながら、以下に記述されている。
【実施例】
【００４１】
実施例１および比較例１
潤滑油組成物を、以下の表２において示されている量の基油および添加剤を混合することにより、調製した。比較例１における基油は、鉱物油だった。実施例１における基油は、２種のＧＴＬ基油［１００℃における動粘度が、５．１ｃＳｔ（ＧＴＬ５．１）のものおよび７．７ｃＳｔ（ＧＴＬ７．７）のもの］の混合物だった。２種のＧＴＬ基油の物理的特性は、以下の表１において示されている。ＧＴＬ基油は、Ｗ０２００４／０７６４７に記載された方法に従って調製できる。
【００４２】
【表１】
2011236407.tif 000002
【００４３】
【表２】
2011236407.tif 000003
【００４４】
これらの極圧特性を計測するため、潤滑組成物は、ＣＥＣ  Ｌ−０７−Ａ−９５２に従ったＦＺＧ  Ｓｔａｇｅ  Ｆａｉｌｕｒｅ  Ｔｅｓｔを受けた。組成物のせん断安定性も、ＣＥＣ  Ｌ−４５−Ａ−９９に従って測定された。これらの試験の結果は、以下の表３において示されている。
【００４５】
【表３】
2011236407.tif 000004
表３から分かるように、実施例１は、粘度調整剤を含有しないにもかかわらず、高い粘度指数（ＶＩ＝１４６）を示している。さらに、実施例１は比較例１よりも高いＦＺＧ荷重ステージを示しており、実施例１（ＧＴＬ基油を含有）が、比較例１（鉱物油基油を含有）より良好な極圧耐摩耗特性を有することを明示している。さらに、実施例１は、比較例１より良好なせん断安定特性を示している。
【外国語明細書】
2011236407000001.pdf